(57)【要約】【課題】着用者が、しゃがんだり、かがんだりした際、又は、座った状態に生じる衣服圧を低減し、着用者に窮屈感や違和感を与えない下半身用被服を提供する。【解決手段】下半身用被服１は、着丈方向の上端部であって着用者の左右両腰骨（左右両腸骨稜）に対応するウエスト部６から、着用者の左右両大腿骨転子部に対応する側面部７にわたって、着用者の正面側から背面側に向けて、傾斜している伸縮部４が形成されている。【選択図】図３
0003224647.tif 000002
【実用新案登録請求の範囲】
【請求項１】
着丈方向の上端部であって着用者の左右両腰骨に対応するウエスト部から、着用者の左右両大腿骨転子部に対応する側面部にわたって、伸縮部が設けられている、
ことを特徴とする下半身用被服。
【請求項２】
前記伸縮部が、前記ウエスト部から前記側面部にわたって、着用者の正面側から背面側に向けて、傾斜している、
ことを特徴とする請求項１に記載の下半身用被服。
【請求項３】
前記伸縮部が、メッシュ状の素材により形成されている、
ことを特徴とする請求項１又は２に記載の下半身用被服。
【請求項４】
前身頃と後身頃との間に、前記前身頃に取り付けられた前記伸縮部と、この伸縮部に取り付けられると共に前記後身頃に取り付けられた生地片とで形成された襠部を有する、
ことを特徴とする請求項１から３のいずれか１項に記載の下半身用被服。
【請求項５】
ズボンである、
ことを特徴とする請求項１から４のいずれか１項に記載の下半身用被服。 
【考案の詳細な説明】
【技術分野】
【０００１】
本考案は、下半身に着用する被服に関するものである。
【背景技術】
【０００２】
企業活動における作業（例えば、接客・販売業、食品加工業、介護業、物流業、製造業、農業、建築業等における作業やオフィスにおける事務作業等）には、作業者が、しゃがんだり、かがんだりした状態を維持して行う作業（商品の陳列や農作物の収穫等）、立った状態からしゃがんだり、かがんだりすることを頻繁に行う作業（介護業における介助や建築現場における作業等）、座った状態を維持して行う作業（事務作業や運転等）等がある。
【０００３】
上記した作業の多くは、作業者が所定のユニフォームを着用して行うことが通常である。しかし、作業者のユニフォームが伸縮性に乏しい生地のみで構成されている場合には、作業中、特に、作業者が、しゃがんだり、かがんだりした際、又は、座った状態においては、ユニフォームの生地が強引に伸張され、生地の張力に起因して、作業者の身体が圧迫される。この作業者の身体を圧迫する圧力、すなわち衣服圧は、作業者に窮屈感や違和感を与える。このような窮屈感や違和感が、頻繁に又は継続して生じると、作業者は、作業に集中できず、作業を円滑に進めることができなくなるおそれがある。また、特に、このような窮屈感や違和感が、作業者の身体部位（例えば、腹部、腰部又は臀部等）に生じると、作業者に通常の作業以上の疲労感を与える原因にもなる。
【０００４】
これまでに、作業ズボンのベルト部に伸縮部を設けることで、作業者が、しゃがんだり、かがんだりした際、又は、座った状態において、腹部や腰部が圧迫されるのを低減できる作業ズボンが開示されている（ 例えば、特許文献１ ） 。
特許文献１の作業ズボンは、ベルト部のうち、作業者の腰の左右に対応する部位が弾性体のゴム紐等を有し、伸縮自在になっている。具体的には、特許文献１の作業ズボンは、ベルト部が帯状の布を半分に折り返した筒状のベルト布で構成されており、そのベルト部の作業者の腰の左右に対応する部位において、筒状のベルト布に覆われたゴム紐等の弾性体が縫合されている。特許文献１の作業ズボンは、上記の構成を備えることで、従来の通常の作業ズボンに対して、腹部や腰部が圧迫されるのを低減し、作業者は長時間の着用に耐えることができる。
【先行技術文献】
【特許文献】
【０００５】
【特許文献１】特開２０１８−３５４９８号公報
【考案の概要】
【考案が解決しようとする課題】
【０００６】
特許文献１の作業ズボンは、腰回りにおいて一定の衣服圧を低減することができる。しかし、特許文献１の作業ズボンは、伸縮部がベルト部の一部のみに設けられているため、その伸縮幅や伸縮方向にも限界がある。そこで、さらに衣服圧を低減させ、着用者に窮屈感や違和感を与えない下半身用被服が求められている。
【０００７】
本考案は、着用者が、しゃがんだり、かがんだりした際、又は、座った状態に生じる衣服圧を低減し、着用者に窮屈感や違和感を与えない下半身用被服を提供することを目的とする。
【課題を解決するための手段】
【０００８】
本考案の下半身用被服は、着丈方向の上端部であって着用者の左右両腰骨（左右両腸骨稜）に対応するウエスト部から、着用者の左右両大腿骨転子部に対応する側面部にわたって、伸縮部が設けられていることを特徴とする。
【０００９】
本考案の下半身用被服は、前記伸縮部が前記ウエスト部から前記側面部にわたって、着用者の正面側から背面側に向けて、傾斜していることを特徴とする。
【００１０】
本考案の下半身用被服は、前記伸縮部がメッシュ状の素材により形成されていることを特徴とする。
【００１１】
本考案の下半身用被服は、前身頃と後身頃との間に、前記前身頃に取り付けられた前記伸縮部と、この伸縮部に取り付けられると共に前記後身頃に取り付けられた生地片とで形成された襠部を有することを特徴とする。
【００１２】
本考案の下半身用被服は、上記した伸縮部を有するズボンであることを特徴とする。
【考案の効果】
【００１３】
本考案の下半身用被服は、着用者が、しゃがんだり、かがんだりした際、又は、座った状態において、着丈方向の上端部であって着用者の左右両腰骨（左右両腸骨稜）に対応するウエスト部から、着用者の左右両大腿骨転子部に対応する側面部にわたって設けられた伸縮部が伸長する。この伸縮部は、通常の下半身用被服では着用者の腰回りを一周する環状のベルト布を分断して、設けられている。そのため、この伸縮部は、伸長する際に、その伸長が他の生地等の難伸長性素材によって妨げられることがない。
したがって、本考案の下半身用被服は、着用者が、しゃがんだり、かがんだりした際、又は、座った状態における腰回り全体の衣服圧を低減させることができる。また、本考案の下半身用被服は、作業中の着用者に窮屈感や違和感を与えないため、作業に集中する着用者の動きを妨げず、着用者の疲労感を軽減させることもできる。
【００１４】
本考案の下半身用被服は、伸縮部がウエスト部から側面部にわたって、着用者の正面側から背面側に向けて、傾斜していることが好ましい。伸縮部は、下半身用被服の腰回りに、着用者を中心として外側に広がろうとする力が加わると、伸長する。このとき、伸縮部の着丈方向上部は、伸縮部の着丈方向下部に対して、大きく伸長する。このように、伸縮部の着丈方向上部と下部とが、伸長幅に差を生じさせながら伸縮部が伸長することで、下半身用被服は、適度なフィット感を保ちつつ、腰回り全体の衣服圧を低減させることができる。傾斜して設けられた伸縮部は、傾斜せずに設けられた伸縮部と比較して、下半身用被服の腰回りに上記した力が加わった際に、伸縮部の着丈方向上部が伸長しやすく、腰回り全体の衣服圧を一層低減させることができる。
【００１５】
さらに、着用者が、しゃがんだり、かがんだりした際、又は、座った状態には、着用者は前かがみになることが多い。そうすると、下半身用被服の腰回り、特に、下半身用被服の腰回りの前側には、着用者の腹部の肉が寄ることで、下半身用被服の着用者の前下方へ広がろうとする力が働く。このとき、傾斜して設けられた伸縮部は、傾斜せずに設けられた伸縮部と比較して、下半身用被服の腰回りが前下方へ広がろうとする力を受けて伸長しやすく、特に、伸縮部の着丈方向上部がより大きく伸長する。
したがって、本考案の下半身用被服は、伸縮部を傾斜させることによって、着用者が、しゃがんだり、かがんだりした際、又は、座った状態における腰回り全体の衣服圧をさらに低減させることができる。また、伸縮部を傾斜させた下半身用被服は、作業中の着用者に窮屈感や違和感を与えないため、作業に集中する着用者の動きを妨げず、着用者の疲労感を軽減させることもできる。
【００１６】
また、本考案の下半身用被服は、伸縮部にメッシュ状の素材が用いられており、メッシュ孔を介して、下半身用被服の内部に籠もった熱が外側に排出される。そのため、着用者に不快感を生じさせない。
【００１７】
本考案の下半身用被服は、前身頃と後身頃との間に、前身頃に取り付けられた伸縮部と、この伸縮部に取り付けられると共に後身頃に取り付けられた生地片とで形成された襠部を有することが好ましい。下半身用被服の腰回りに、上記した着用者の前下方に広がろうとする力が働くと、その力が前身頃から伸縮部に伝わり、伸縮部は伸長する。このとき、伸縮部が、襠部を介することなく、後身頃のみに取り付けられていると、後身頃は、伸縮部に引っ張られる力によって縒れやすく、伸縮部が伸長する妨げとなることがある。
したがって、襠部を有する下半身用被服は、襠部を設けることで後身頃が縒れることを防ぎ、着用者が、しゃがんだり、かがんだりした際、又は、座った状態における腰回り全体の衣服圧をより低減させることができる。また、本考案の下半身用被服は、作業中の着用者に窮屈感や違和感を与えないため、作業に集中する着用者の動きを妨げず、着用者の疲労感を軽減させることもできる。
【００１８】
本考案の下半身用被服は、ズボンであることが好ましい。伸縮部が設けられたズボンであることで、上述した効果がより発揮され、着用者が、しゃがんだり、かがんだりした際、又は、座った状態における腰回り全体の衣服圧を低減させる。また、本考案のズボンは、作業中の着用者に窮屈感や違和感を与えないため、作業に集中する着用者の動きを妨げず、着用者の疲労感を軽減させることもできる。
【図面の簡単な説明】
【００１９】
【図１】本考案の実施形態に係る下半身用被服の正面図である。
【図２】本考案の実施形態に係る下半身用被服の背面図である。
【図３】本考案の実施形態に係る下半身用被服の左側面図である。
【図４】本考案の実施形態に係る下半身用被服における股上部の展開図である。
【図５】本考案の実施形態に係る下半身用被服における股上部の裏側の展開図、及び、伸縮部の着丈方向上部裏側を示す図である。
【図６】本考案の実施形態に係る下半身用被服における伸縮部の着丈方向上部裏側の内部を示す図である。
【図７】本考案の実施形態に係る下半身用被服を着用した着用者がしゃがんだ状態を示す図である。
【図８】本考案の実施形態に係る下半身用被服を着用した着用者が椅子に座った状態を示す図である。
【図９】本考案の実施形態に係る下半身用被服を着用した着用者が前かがみになった状態を示す図である。
【考案を実施するための形態】
【００２０】
本実施形態の下半身用被服１を、図１〜図９を参照して、説明する。
なお、下半身用被服の裾口幅方向を幅方向Ｘ、着丈方向を着丈方向Ｙとし、着用者の前後方向を前後方向Ｚとする。また、本実施形態の下半身用被服の「左（左側）」及び「右（右側）」、「正面（正面側）」及び「背面（背面側）」は、着用者を基準とする。
【００２１】
本実施形態の下半身用被服１は、図１に示すように、例えば、作業用の長ズボンである。なお、下半身用被服には、例えば、七分丈のズボン、半ズボン又はスカート等が含まれる。
【００２２】
下半身用被服１は、図１、図２及び図３に示すように、前身頃２、後身頃３、伸縮部４、ベルト布表面５ａ、ベルト布裏面５ｂ、股下襠部１０及び側面襠部１２等の生地片が、夫々縫合されることで形成される。この下半身用被服１は、着丈方向Ｙの上端部であって着用者の左右両腰骨（左右両腸骨稜）に対応する左右両ウエスト部６から、着用者の左右両大腿骨転子部に対応する左右両側面部７にわたって、一対の伸縮部４が設けられている。下半身用被服１は、伸縮部４以外において、衝撃や摩擦、圧迫等に強い生地、例えば、ツイル生地等の布生地が使用される。
【００２３】
前身頃２は、図１に示すように、着用者の下半身正面を覆う前身頃本体２ａと、前身頃２の左右上端部に設けられた前身頃ポケット部２ｂとで、構成されている。
前身頃本体２ａは、着用者の下半身正面の右側を覆う生地片と、着用者の下半身正面の左側を覆う生地片と、これらの生地片が縫合される部位において設けられるファスナーとで、構成されている。具体的には、着用者の下半身正面を覆う左右両側の生地片が、着用者の腰回り正面に対応する部位において、着丈方向Ｙの上端部から開閉が可能なファスナーを介して、縫合されている。また、前身頃２ａには、着用者の膝部内側に対応する部位において、タック１１が設けられている。
前身頃ポケット部２ｂは、前身頃本体２ａの裏側に、収容空間を形成する袋布（図示せず）が設けられている。前身頃本体２ａと前身頃ポケット部２ｂとは、この袋布の開口部を介して、縫合されている。
【００２４】
さらに、前身頃２の幅方向Ｘの左右両端は、前身頃本体２ａと前身頃ポケット部２ｂとの縫合部の下端部から、裾部８にわたって、緩やかに、正面側に凹形の弧状の曲線をなしている。
【００２５】
後身頃３は、図２に示すように、着用者の下半身背面を覆う後身頃本体３ａと、着用者の腰部に対応する後身頃腰部３ｂと、後身頃３の股上部１４において設けられた後ポケット部１３とで、構成されている。後身頃本体３ａは、着用者の下半身背面の右側を覆う生地片と、着用者の下半身背面の左側を覆う生地片とが、着用者の臀部中央に対応する部位において、縫合されている。また、後身頃腰部３ｂは、着用者の腰部右側に対応する略台形の生地片と、着用者の腰部左側に対応する略台形の生地片とが、着用者の腰部中央に対応する部位において、縫合されている。
【００２６】
後身頃３は、後身頃本体３ａにおける着丈方向Ｙの上端部と、後身頃腰部３ｂにおける着丈方向Ｙの下端部とが、縫合されることで、形成されている。また、後身頃３は、股上部１４において、上記した後身頃本体３ａと後身頃腰部３ｂとの縫合部の下部、すなわち、着用者の臀部に対応する部位において、外側に生地片が縫合されることで、後ポケット部１３が形成されている。なお、後ポケット部１３は、後身頃３の裏側にポケットを形成し、玉縁ポケットとすることもできる。
【００２７】
さらに、図１及び図３に示すように、後身頃３の幅方向Ｘの左右両端は、上記した前身頃２の凹形の弧状の曲線に沿って、後身頃３における着丈方向Ｙの上端部から、裾部８にわたって、緩やかに、正面側に凸形の弧状の曲線をなしている。
【００２８】
前身頃２と後身頃３とは、図１、図２及び図３に示すように、下半身用被服１の幅方向Ｘの左右両外側の側面において、側面部７の下端部から裾部８にわたって、縫合されている。そのため、下半身用被服１には、その縫合部において、縫い目１５が形成されている。この縫い目１５は、側面部７の下端部から、着用者の正面側に湾曲しており、裾部８では着用者の背面側まで達している。
【００２９】
また、前身頃２と後身頃３とは、図１及び図２に示すように、下半身用被服１の着用者の内股に対応する部位において、弓形の股下襠部１０を設けて、縫合されている。具体的には、着用者の内股に対応する部位において、股下襠部１０の弧状をなす部位が前身頃２と縫合され、股下襠部１０の弧状をなす部位と対になる部位が後身頃３と縫合されている。
【００３０】
伸縮部４は、図１、図３及び図４に示すように、下半身用被服１における着丈方向Ｙの上端部であって着用者の左右両腰骨（左右両腸骨稜）に対応する左右両ウエスト部６から、着用者の左右両大腿骨転子部に対応する左右両側面部７にわたって、帯状の伸縮性素材が縫合されることで形成されている。ここで、伸縮部４の着丈方向Ｙの中央から上部を伸縮部上部４ａとし、伸縮部４の着丈方向Ｙの中央から下部を伸縮部下部４ｂとする。
【００３１】
伸縮部４は、下半身用被服１の着丈方向Ｙの上端部から、ベルト布表面５ａとベルト布５ｂとからなるベルト布を分断して、設けられている。したがって、伸縮部４は、ベルト布等の難伸長性素材によって、その伸長が妨げられることがない。
【００３２】
さらに、伸縮部４は、図１、図３及び図４に示すように、着用者の正面側から背面側に向けて傾斜して、形成されている。具体的には、伸縮部４は、伸縮部４の長手方向と平行になる部位の一端が、前身頃２の有する前身頃ポケット部２ｂに沿って縫合され、また、伸縮部４の着丈方向Ｙの下端部、すなわち左右両側面部７に対応する部位が、後身頃３に沿って縫合されている。
【００３３】
伸縮部４には、メッシュ状の伸縮性を有する生地を使用することができる。メッシュ状の生地で形成された伸縮部４は、メッシュ孔を有し、伸縮部４が伸長されていない状態では、メッシュ孔の開きは小さく、メッシュ孔はほぼ閉じた状態となる。一方で、伸縮部４が伸長した状態では、メッシュ孔の開きは大きくなる。このメッシュ孔は、下半身用被服１の内部と外部との通気孔の役割を担う。
【００３４】
伸縮部４は、図４に示すように、伸縮部４の着丈方向Ｙの上端部における左右両端部が、その左右両端部と接するベルト布表面５ａ、かつ、ベルト布表面５ａの短手方向に対応する部位と、縫合されている。
【００３５】
また、伸縮部４は、図５に示すように、下半身用被服１の裏側においても、ベルト布裏面５ｂ、かつ、ベルト布裏面５ｂの短手方向に対応する部位と、縫合されている。
具体的には、伸縮部４は、図４及び図５に示すように、ウエスト部６に対応する部位において、下半身用被服１の着丈方向Ｙの上端部、すなわち、ベルト布表面５ａの着丈方向Ｙの上端部で、下半身用被服１の裏側に折り返されている。この折り返された伸縮部４は、下半身用被服１の裏側において、伸縮部折返し部４ｃを形成している。この伸縮部折返し部４ｃは、下半身用被服１の裏側において、ベルト布裏面５ｂの短手方向に対応する部位として、ベルト布裏面５ｂと同等の幅で、形成されている。また、この伸縮部折返し部４ｃの左右両端部は、下半身用被服１の裏側において、伸縮部折返し部４ｃの左右両端部と接するベルト布裏面５ｂの短手方向に対応する部位と、縫合されている。
【００３６】
また、折り返された伸縮部４の内部、すなわち伸縮部折返し部４ｃの裏側には、図５及び図６に示すように、帯状のゴム紐１８が備えられている。この帯状のゴム紐１８の左右両端部は、伸縮部４の着丈方向Ｙの上端部における左右両端部と、縫合されている。
【００３７】
ベルト布表面５ａとベルト布裏面５ｂとからなるベルト布は、図４及び図５に示すように、伸縮部４に分断される部位を除いて、上記したベルト布の長手方向と平行になる部位の一端が、前身頃２及び後身頃３の着丈方向Ｙの上端部と、縫合されている。具体的には、上記したベルト布は、帯状の生地片の短手方向を半分に折り返した筒状の布、又は、一対の帯状の生地片同士を長手方向と平行になる一端で縫合した布、のいずれかで構成されており、前身頃２に上記した筒状の布からなるベルト布が、後身頃３に上記した縫合された布からなるベルト布が、夫々縫合されている。
【００３８】
また、上記した前身頃２に縫合されるベルト布は、下半身用被服１の着用者の腰回り正面中央において、前身頃２に取り付けられたファスナーの開口部に対応して、分断されている。この分断されたベルト布は、着用者の左側に対応する部位の右端部が、着用者の右側に対応する部位の左端部に、その一部が重なって形成されている。また、この重なり合う左端部にはボタンが縫合されており、一方の右端部にはこのボタンに対応したボタン穴が形成されている。
なお、ベルト布表面５ａには、下半身用被服１の腰回りに沿って、複数のベルト通し９が設けられている。
【００３９】
下半身用被服１の幅方向Ｘにおける左右両外側の側面には、図３及び図４に示すように、後身頃３と、伸縮部４と、ベルト布表面５ａとに囲まれた部位において、略逆三角形の側面襠部１２が設けられている。具体的には、側面襠部１２の底辺、すなわち、側面襠部１２の着丈方向Ｙの上端部が、ベルト布表面５ａとベルト布裏面５ｂとからなるベルト布の着丈方向Ｙの下端部に縫合されている。また、側面襠部１２の底辺以外の２辺に対応する部位のうち、着用者の正面側から背面側に傾斜する辺に対応する部位が、伸縮部４に縫合されている。さらに、側面襠部１２の底辺以外の２辺に対応する部位のうち、着用者の背面側から正面側に傾斜する辺に対応する部位が、後身頃３に縫合されている。
【００４０】
次に、本実施形態の下半身用被服１の作用効果について説明する。
本実施形態の下半身用被服１には、図１、図３及び図４に示すように、左右両ウエスト部６から左右両側面部７にわたって、一対の帯状の伸縮部４が設けられている。この伸縮部４は、図７、図８及び図９に示すように、下半身用被服１の着用者が、しゃがんだり、かがんだりした際、又は、座った状態において、伸長する。これにより、下半身用被服１は、下半身用被服１の着用者が、しゃがんだり、かがんだりした際、又は、座った状態において、腰回り全体の衣服圧を低減させることができる。
【００４１】
また、伸縮部４は、図１、図３及び図４に示すように、下半身用被服１の着丈方向Ｙの上端部から、ベルト布表面５ａとベルト布裏面５ｂとからなるベルト布を分断して、側面部７にわたって、設けられている。そのため、伸縮部４は、伸長する際に、その伸長が他の生地等の難伸長性素材によって妨げられることがない。これにより、下半身用被服１は、下半身用被服１の着用者が、しゃがんだり、かがんだりした際、又は、座った状態において、腰回り全体の衣服圧をより低減させることができる。
【００４２】
さらに、下半身用被服１は、図１、図３及び図４に示すように、伸縮部４が帯状に設けられている。そのため、伸縮部４が伸長する際には、図７、図８及び図９に示すように、伸縮部上部４ａが、伸縮部下部４ｂと比較して、大きく伸長する（上部伸長幅１６が下部伸長幅１７と比較して大きくなる。）。このように、伸縮部４が、着丈方向Ｙの上部と下部で伸長幅に差を生じさせながら伸長することにより、下半身用被服１は、従来の作業ズボン、例えば、ベルト部の一部のみに伸縮部が設けられた作業ズボン、又は、ベルト布に覆われた伸縮部が設けられた作業ズボン等と比較して、下半身用被服１の着用者が、しゃがんだり、かがんだりした際、又は、座った状態において、腰回り全体の衣服圧をさらに低減させることができる。
【００４３】
また、さらに、伸縮部４は、図１、図３及び図４に示すように、左右両ウエスト部６から左右両側面部７にわたって、着用者の正面側から背面側に向けて傾斜して、設けられている。
これにより、伸縮部４は、図７、図８及び図９に示すように、傾斜せずに設けられた伸縮部と比較して、下半身用被服１の腰回りに着用者を中心として外側に広がろうとする力が加わった際に、伸縮部上部４ａが、伸縮部下部４ｂと比較して、より大きく伸長しやすくなる。そのため、上記した上部伸長幅１６と下部伸長幅１７との差も大きくなりやすく、下半身用被服１は、下半身用被服１の着用者が、しゃがんだり、かがんだりした際、又は、座った状態において、腰回り全体の衣服圧を一層低減させることができる。また、このように、伸縮部４が、上部伸長幅１６と下部伸長幅１７とに大きく差を生じさせながら伸長することで、下半身用被服１は、適度なフィット感を保ちつつ、腰回り全体の衣服圧を低減させることができる。
【００４４】
また、図７、図８及び図９に示すように、下半身用被服１の着用者が、しゃがんだり、かがんだりした際、又は、座った状態には、着用者が、前かがみになることが多い。そうすると、下半身用被服１の腰回り、特に、下半身用被服１の腰回りにおける前後方向Ｚの前側には、着用者の腹部の肉が寄ることで、下半身用被服１の着用者の前下方へ広がろうとする力が働く。このとき、傾斜して設けられた伸縮部４は、傾斜せずに設けられた伸縮部と比較して、下半身用被服１の腰回りが着用者の前下方へ広がろうとする力を受けて伸長しやすく、特に、伸縮部上部４ａがより大きく伸長する。
したがって、下半身用被服１は、着用者が、しゃがんだり、かがんだりした際、又は、座った状態における腰回り全体の衣服圧をさらに低減させることができる。また、下半身用被服１は、作業中の着用者に窮屈感や違和感を与えないため、作業に集中する着用者の動きを妨げず、着用者の疲労感を軽減させることもできる。
【００４５】
下半身用被服１の伸縮部４は、メッシュ状の伸縮性素材によって形成されており、メッシュ孔を有する。このメッシュ孔は、通気孔として機能し、このメッシュ孔を介して、下半身用被服１の内部の熱が外側に放出される。下半身用被服１の内部には、熱が籠もりやすく、この籠もった熱が、メッシュ孔を介して、下半身用被服１の外側に放出されると、下半身用被服１の着用者に不快感を与えず、着用者は快適に作業を行うことができる。
また、このメッシュ状の伸縮性素材は、ゴム紐等の他の弾性体と比較して伸長しやすく、着用者が、しゃがんだり、かがんだりした際、又は、座った状態における腰回り全体の衣服圧をより低減させることができる。
【００４６】
下半身用被服１は、図３及び図４に示すように、前身頃２と後身頃３との間に、前身頃２に取り付けられた伸縮部４と、伸縮部４に取り付けられると共に後身頃３に取り付けられた側面襠部１２が設けられている。具体的には、下半身用被服１の幅方向Ｘにおける左右両外側の側面に、後身頃３と、伸縮部４と、ベルト布表面５ａとに囲まれた、略逆三角形の側面襠部１２が設けられている。
【００４７】
ここで、下半身用被服１の腰回りに、上記した着用者の前下方に広がろうとする力が働くと、その力が前身頃２から伸縮部４に伝わり、伸縮部４は伸長する。このとき、側面襠部１２は、伸縮部４が前身頃２から受けた力を受け止めて、伸縮部４の伸長を補助する。そのため、下半身用被服１が側面襠部１２を有することなく、例えば、側面襠部１２に対応する部位が伸縮部や後身頃によって構成等されていると、側面襠部１２に対応する部位における伸縮部や後身頃は、上記した力を受けて縒れやすく、伸縮部が正常に伸長する妨げとなることがある。したがって、下半身用被服１は、側面襠部１２を設けることで、伸縮部４が正常に伸長し、着用者が、しゃがんだり、かがんだりした際、又は、座った状態における腰回り全体の衣服圧をより低減させることができる。
【００４８】
さらに、下半身用被服１の伸縮部４を含む腰回りの上記構成は、従来の作業ズボンにおける伸縮部が、シャーリング加工された筒状のベルト布によってゴム紐等の弾性体が覆われて構成されているに対し、シャーリング加工等の複雑な加工を要せず、手間のかからない縫合を可能にする。
【００４９】
以上、本考案の実施形態を詳述したが、本考案は上記実施形態に限定されるものではない。そして、本考案は、実用新案登録請求の範囲に記載された事項を逸脱することがなければ、種々の設計変更を行うことが可能である。
【００５０】
例えば、上記実施形態では、伸縮部４が傾斜して設けられている例を示したが、下半身用被服１における傾斜角に限定されるものではなく、伸縮部４が、傾斜なく設けられ、又は、上記実施形態よりも傾斜させて設けられていてもよい。
【００５１】
また、例えば、下半身用被服１は、伸縮部４がメッシュ状の伸縮性素材によって形成されているが、伸縮部には、その他の伸縮性素材、例えばゴム紐等を用いた伸縮性素材を用いてもよい。
【００５２】
さらに、例えば、下半身用被服１は、側面襠部１２とする生地片が設けられているが、このような生地片を有さない下半身用被服でもよい。また、側面襠部１２とする生地片の形状が下半身用被服１と異なる形状、例えば、略長方形、略台形、略平行四辺形等の形状の生地片を用いた下半身用被服でもよい。
【符号の説明】
【００５３】
１    下半身用被服
２    前身頃
２ａ  前身頃本体  
２ｂ  前身頃ポケット部
３    後身頃
３ａ  後身頃本体
３ｂ  後身頃腰部
３ｃ  後身頃裏側
４    伸縮部
４ａ  伸縮部上部
４ｂ  伸縮部下部
４ｃ  伸縮部折返し部
５ａ  ベルト布表面
５ｂ  ベルト布裏面
６    ウエスト部
７    側面部
８    裾部
９    ベルト通し
１０  股下襠部
１１  タック
１２  側面襠部
１３  後ポケット部
１４  股上部
１５  縫い目
１６  上部伸長幅
１７  下部伸長幅
１８  ゴム紐
１９  着用者
【図１】
0003224647.tif 000003
【図２】
0003224647.tif 000004
【図３】
0003224647.tif 000005
【図４】
0003224647.tif 000006
【図５】
0003224647.tif 000007
【図６】
0003224647.tif 000008
【図７】
0003224647.tif 000009
【図８】
0003224647.tif 000010
【図９】
0003224647.tif 000011